(57)【特許請求の範囲】
【請求項１】
薬瓶に結合できる接続本体と、
この接続本体に基端が結合されるカニューレ挿入プランジャーと、
このカニューレ挿入プランジャーの末端を滑動可能に収容する投与チャンバーであって、薬剤をこの投与チャンバーの末端を通して押し出すようになっている投与チャンバーと、
前記カニューレ挿入プランジャーに結合されたプランジャー尖端逆止め弁であって、流体が前記カニューレ挿入プランジャーからこのプランジャー尖端逆止め弁を通って前記投与チャンバーへと流れるようになっているプランジャー尖端逆止め弁と
を具え、前記カニューレ挿入プランジャーは前記接続本体によって実質的に収容され、
前記接続本体は前記薬瓶によって少なくとも部分的に収容されていることを特徴とする薬瓶投薬器具。
【請求項２】
前記投与チャンバーが前記カニューレ挿入プランジャーに対して末端側に変位した場合、流体が前記カニューレ挿入プランジャーから前記プランジャー尖端逆止め弁を通って前記投与チャンバーへと流れることを特徴とする請求項１に記載の薬瓶投薬器具。
【請求項３】
つぶれた形状において、
前記プランジャー尖端逆止め弁は前記投与チャンバーの末端に隣接して位置し、
前記カニューレ挿入プランジャーの大部分が前記投与チャンバー内に位置することを特徴とする請求項１に記載の薬瓶投薬器具。
【請求項４】
前記接続本体がスナップ接続本体であることを特徴とする請求項１に記載の薬瓶投薬器具。
【請求項５】
前記プランジャー尖端逆止め弁が低デュロメーターの逆止め弁であることを特徴とする請求項１に記載の薬瓶投薬器具。
【請求項６】
前記プランジャー尖端逆止め弁がダックビル形状の逆止め弁であることを特徴とする請求項１に記載の薬瓶投薬器具。
【請求項７】
前記投与チャンバーの末端に配される投与チャンバー隔壁と、
前記投与チャンバーに結合される針アダプターと
をさらに具えたことを特徴とする請求項１に記載の薬瓶投薬器具。
【請求項８】
前記針アダプターがペン針に結合できることを特徴とする請求項７に記載の薬瓶投薬器具。
【請求項９】
請求項８に記載の薬瓶投薬器具と、
前記針アダプターに結合されるペン針であって、その基端が前記投与チャンバー隔壁を穿刺するペン針と
を具えたことを特徴とする組み合わせ。
【請求項１０】
薬剤が前記投与チャンバーから前記ペン針を通って流れることを特徴とする請求項９に記載の組み合わせ。
【請求項１１】
前記接続本体に結合される通気逆止め弁をさらに具え、前記接続本体は、
流体針であって、この流体針の基端が薬瓶隔壁を穿刺し、当該流体針を通って前記カニューレ挿入プランジャーへと流体を流すようになっている流体針と、
通気針であって、この通気針の基端が前記薬瓶隔壁を穿刺し、前記通気逆止め弁および当該通気針を通って空気を流すようになっている通気針と
をさらに具えたことを特徴とする請求項１に記載の薬瓶投薬器具。
【請求項１２】
請求項１１に記載の薬瓶投薬器具と、
医療用薬瓶であって、前記通気針がこの医療用薬瓶へと空気を流すようになっている医療用薬瓶と
を具えたことを特徴とする組み合わせ。
【請求項１３】
前記投与チャンバーが前記カニューレ挿入プランジャーに対して末端側に変位した場合、前記通気針は前記通気逆止め弁および前記通気針を通って前記医療用薬瓶へと空気を流すようになっていることを特徴とする請求項１２に記載の組み合わせ。
【請求項１４】
前記接続本体に結合され、前記接続本体の少なくとも一部を通って空気を流すようになっている通気逆止め弁をさらに具えたことを特徴とする請求項１に記載の薬瓶投薬器具。
【請求項１５】
前記通気逆止め弁が圧入逆止め弁であることを特徴とする請求項１４に記載の薬瓶投薬器具。
【請求項１６】
前記通気逆止め弁を通して空気を送り込むようになっているポンプをさらに具えたことを特徴とする請求項１４に記載の薬瓶投薬器具。
【請求項１７】
前記ポンプが前記薬瓶に結合できることを特徴とする請求項１６に記載の薬瓶投薬器具。
【請求項１８】
前記ポンプは、
ブラダーと、
このブラダーに結合される通路であって、この通路を通って前記ブラダーから空気を流すようになっている通路と、
この通路に結合されるポンプ逆止め弁であって、このポンプ逆止め弁を通って前記通路から空気を流すようになっているポンプ逆止め弁と
を具えたことを特徴とする請求項１６に記載の薬瓶投薬器具。
【請求項１９】
前記ブラダーが実質的に弾性を有することを特徴とする請求項１８に記載の薬瓶投薬器具。
【請求項２０】
前記ブラダーの内側に連続気泡発泡体をさらに具え、前記ブラダーに弾力性を与えていることを特徴とする請求項１８に記載の薬瓶投薬器具。
【請求項２１】
前記ポンプ逆止め弁が成形ダックビル逆止め弁であることを特徴とする請求項１８に記載の薬瓶投薬器具。
【請求項２２】
前記成形ダックビル逆止め弁がポリウレタンを具えていることを特徴とする請求項２１に記載の薬瓶投薬器具。
【請求項２３】
前記ポンプ逆止め弁が前記通気逆止め弁に結合されると共に前記ポンプ逆止め弁および前記通気逆止め弁を通って空気を流すようになっていることを特徴とする請求項１８に記載の薬瓶投薬器具。
【請求項２４】
請求項１に記載の薬瓶投薬器具と
医療用薬瓶と
を具えたことを特徴とする組み合わせ。
【請求項２５】
医療用薬瓶へとそこに接続本体が結合されることを特徴とする請求項２４に記載の組み合わせ。
【請求項２６】
前記薬瓶投薬器具は前記接続本体に結合される通気逆止め弁をさらに具え、
この通気逆止め弁は前記接続本体の少なくとも一部を通して前記医療用薬瓶へと空気を流すようになっていることを特徴とする請求項２４に記載の組み合わせ。
【請求項２７】
薬瓶投薬器具と、
薬瓶と
を具えた組み合わせであって、前記薬瓶投薬器具は、
前記薬瓶に結合される接続本体と、
基端が前記接続本体に結合されるカニューレ挿入プランジャーと、
このカニューレ挿入プランジャーの末端を滑動可能に収容する投与チャンバーであって、薬剤をこの投与チャンバーの末端を通して押し出すようになっている投与チャンバーと、
前記カニューレ挿入プランジャーに結合されたプランジャー尖端逆止め弁であって、流体を前記カニューレ挿入プランジャーからこのプランジャー尖端逆止め弁を通って前記投与チャンバーへと流すようになっているプランジャー尖端逆止め弁と
を具え、前記カニューレ挿入プランジャーが前記接続本体によって実質的に収容され、
前記接続本体は前記薬瓶によって少なくとも部分的に収容されていることを特徴とする組み合わせ。
【請求項２８】
つぶれた形状において、
前記プランジャー尖端逆止め弁は前記投与チャンバーの末端に隣接して位置し、
前記カニューレ挿入プランジャーの大部分が前記投与チャンバー内に位置することを特徴とする請求項２７に記載の組み合わせ。
【発明の詳細な説明】
【技術分野】
【０００１】
〔関連出願に関する相互参照〕
【０００２】
この出願は、２０１２年４月９日に米国特許商標庁に提出した米国仮特許出願第６１/６８６６１０号の利益を請求し、その開示は、その全体を参照することによってここに組み入れられる。
【０００３】
本発明は、薬瓶投薬システムおよび方法に概ね関する。より詳細には、本発明は薬瓶に装着してこの薬瓶から薬剤を直接取り出す薬瓶投薬器具に関する。
【背景技術】
【０００４】
ある特定の状況において、薬を人の組織に直接注入することが望まれる。最新の技術において、使用者が注射器の針を用いて薬瓶から液体の薬剤を取り出し、次いでこの薬剤を同じ注射器の針を使って組織層へと注入する。
【発明の概要】
【発明が解決しようとする課題】
【０００５】
しかしながら、最新の技術は、注入が必要な都度、使用者が薬瓶および独立した注射器にアクセスすることを必要とする。従って、使用者は薬瓶および１つ以上の注射器を彼または彼女の体に常時身に付けていなければならない。
【０００６】
また、使用者は、注入が必要な都度、薬瓶から望ましい薬剤投与量を注射器の針で取り出し、次いで注射器の針を用いて組織層に薬剤を注入するといううんざりする処置を繰り返さなければならない。それぞれの注入に際して新たな注射器の針を使用する代わりに、使用者が同じ注射器の針を用いて薬瓶の隔壁を繰り返し穿刺する場合、注射器の針は鋭利性が急速に低下する可能性がある。
【０００７】
加えて、最新の医療用薬瓶は、薬剤を取り出すあらゆる注射器に対して障害のないアクセスを概ね与えている。薬剤は、多くの濃度の異なる医療用薬瓶にてしばしば提供される。より低濃度型の薬剤を薬瓶から取り出すため、より高濃度の特定な薬剤のために設計した目盛りを持つ注射器を誤って用いるか、あるいはその逆の場合、医学上の送出問題を生ずる可能性がある。より詳細には、これは不適切な投与量が患者に投与されてしまうという可能性がある。
【０００８】
従って、薬瓶に対し固定状態で装着された薬瓶投薬器具に対する要求がある。このような器具は、使用者が個別の注射器を持ち運ぶ必要性を排除することができ、特定濃度の薬剤を含む薬瓶を不適当な目盛りの注射器と組み合わせて使用することに対して保護することも可能である。
【０００９】
また、痛みのより少ない注入を促進させるため、最適な鋭利性および長さを持つ使い捨て注入針を組み入れた薬瓶投薬器具に対する要求が存在する。
【００１０】
同様に、輸送するのによりかさばらず、しかも個別の注射器よりも低コストにて作り出すことができる薬瓶投薬器具に対する要求が存在する。
【００１１】
本発明の実施形態の一形態は、上記および他の問題に実質的に取り組み、使用者が個別の注射器を持ち運ぶ必要性を排除すると共に注射器と障害のない薬瓶との間での誤った結合に対して保護するため、薬瓶に固定状態で装着される薬瓶投薬器具を提供することである。
【００１２】
本発明の実施形態の他の形態は、痛みのより少ない注入を促進させるため、最適な鋭利性および長さを持つ使い捨て注入針を組み入れた薬瓶投薬器具を提供することである。
【００１３】
本発明の実施形態の他の形態は、輸送するのによりかさばらず、しかも個別の注射器よりも低コストにて作り出すことができる薬瓶投薬器具を提供することである。
【課題を解決するための手段】
【００１４】
本発明の前述および／または他の形態は、薬瓶に結合できる接続本体と、この接続本体に基端が結合されるカニューレ挿入プランジャーと、このカニューレ挿入プランジャーの末端を滑動可能に収容する投与チャンバーであって、薬剤をこの投与チャンバーの末端を通して押し出すようになっている投与チャンバーと、前記カニューレ挿入プランジャーに結合されたプランジャー先端逆止め弁であって、流体が前記カニューレ挿入プランジャーからこのプランジャー先端逆止め弁を通って前記投与チャンバーへと流れるようになっているプランジャー先端逆止め弁とを含む薬瓶投薬器具を提供することによって達成される。
【００１５】
また、本発明の前述および／または他の形態は、薬瓶投薬器具と薬瓶とを含む組み合わせを提供することによっても達成される。この薬瓶投薬器具は、前記薬瓶に結合される接続本体と、基端が前記接続本体に結合されるカニューレ挿入プランジャーと、このカニューレ挿入プランジャーの末端を滑動可能に収容する投与チャンバーであって、薬剤をこの投与チャンバーの末端を通して押し出すようになっている投与チャンバーと、前記カニューレ挿入プランジャーに結合されたプランジャー先端逆止め弁であって、流体を前記カニューレ挿入プランジャーからこのプランジャー先端逆止め弁を通って前記投与チャンバーへと流すようになっているプランジャー先端逆止め弁とを含む。前記カニューレ挿入プランジャーは前記接続本体に実質的に収容される。前記接続本体は前記薬瓶に少なくとも部分的に収容される。
【００１６】
また、本発明の前述および／または他の形態は、接続本体を薬剤が収容される医療用薬瓶に結合するステップと、カニューレ挿入プランジャーを前記投与チャンバーに対して基端側に変位させ、一回分の薬剤を前記医療用薬瓶から前記カニューレ挿入プランジャーに結合されたプランジャー先端逆止め弁を通って前記投与チャンバーへと取り出すステップとを含む薬瓶投薬器具の使用方法を提供することによっても達成される。前記カニューレ挿入プランジャーの基端は前記接続本体に結合される。前記カニューレ挿入プランジャーの末端は前記投与チャンバーに滑動可能に収容される。
【００１７】
本発明の追加および／または他の形態ならびに利点は、次に続く説明に述べられているか、この説明から明らかになるか、あるいは本発明の実施によって習得することができる。
【図面の簡単な説明】
【００１８】
【図１】薬瓶と針とを組み合わせた本発明の実施形態による薬瓶投薬器具の立体投影図である。
【図２Ａ】図１の薬瓶投薬器具の操作を例示している。
【図２Ｂ】図１の薬瓶投薬器具の操作を例示している。
【図２Ｃ】図１の薬瓶投薬器具の操作を例示している。
【図３】図１の薬瓶投薬器具および薬瓶と針とを組み合わせた本発明の他の実施形態による手動ポンプの立体投影図である。
【図４Ａ】本発明の他の実施形態による手動ポンプの例示した一実施形態の図である。
【図４Ｂ】本発明の他の実施形態による手動ポンプの例示した一実施形態の図である。
【図４Ｃ】本発明の他の実施形態による手動ポンプの例示した一実施形態の図である。
【図５Ａ】薬瓶と針とを組み合わせた本発明の他の実施形態による埋設形薬瓶投薬器具を例示する。
【図５Ｂ】薬瓶と針とを組み合わせた本発明の他の実施形態による埋設形薬瓶投薬器具を例示する。
【図５Ｃ】薬瓶と針とを組み合わせた本発明の他の実施形態による埋設形薬瓶投薬器具を例示する。
【図５Ｄ】薬瓶と針とを組み合わせた本発明の他の実施形態による埋設形薬瓶投薬器具を例示する。
【図５Ｅ】薬瓶と針とを組み合わせた本発明の他の実施形態による埋設形薬瓶投薬器具を例示する。
【図５Ｆ】薬瓶と針とを組み合わせた本発明の他の実施形態による埋設形薬瓶投薬器具を例示する。
【発明を実施するための形態】
【００１９】
本発明の例示実施形態の種々の目的および利点ならびに新奇な特徴は、次の詳細な説明を添付した図面と関連付けて把握することによって、より容易に認識されよう。
【００２０】
当業者が認識するように、ここで開示した本発明の実施形態による薬瓶投薬器具の実例および改良ならびに翻案を行う多数の方法がある。図面および以下の記述にて描かれた例示実施形態に対して参照がなされるけれども、ここで開示した実施形態は、開示した発明により包含される他の種々の設計および実施形態を網羅していることを意味していない。
【００２１】
種々の人々（限定しないが、例えば患者または医療従事者）が本発明の例示実施形態を操作するか、または使うことができるけれども、簡潔さのために作業者または使用者を以下では「使用者」として呼称しよう。
【００２２】
ここに記述した本発明の例示実施形態において、「末端」方向が注入部位に向かう方向を参照し、「基端」方向が注入部位から離れる方向を参照するけれども、このような方向は限定ではない。
【００２３】
本発明による例示実施形態が図１〜図５に描かれている。一実施形態によると、薬瓶投薬器具は薬瓶に結合され、この分野で知られている任意の針と共に用いることができ、これらの針は標準ペン針または両端ペン針の如き標準の使い捨て注射針を含むが、これに限定されない。このような針は、液体の薬剤を組織層または他の注入部位へと注入することができる。両端ペン針は、これらがより鋭い尖端およびより少ない痛みの注入をもたらすことができるので好ましい。薬瓶はこの分野で知られている任意の薬瓶であってよく、医療用薬瓶を含むが、これに限定されない。
【００２４】
図１および図２Ａ〜図２Ｃは、薬瓶５０および針５５と組み合わせた薬瓶投薬器具１０の例示実施形態を描いている。この薬瓶投薬器具１０は、針アダプター１５と、投与チャンバー隔壁２０と、投与チャンバー２５と、プランジャー先端逆止め弁３０と、このプランジャー先端逆止め弁３０が配されたカニューレ挿入プランジャー３５と、通気逆止め弁４０と、結合本体４５とを含む。針アダプター１５は、この分野で知られている任意の針アダプターを含み、ねじ付きのペン針アダプターを含むが、これに限定されない。プランジャー先端逆止め弁３０は、この分野で知られている任意の逆止め弁を含むことができ、低デュロメーター逆止め弁またはダックビル形状逆止め弁を含むが、これらに限定されない。通気逆止め弁４０は、この分野で知られている任意の逆止め弁を含むことができ、圧入逆止め弁を含むが、これに限定されない。接続本体４５は、この分野で知られている任意の接続本体を含むことができ、薬瓶５０のフランジ５４にスナップ嵌合するようになっているスナップ接続本体を含むが、これに限定されない。
【００２５】
引き続き、より詳細に論じられるように、接続本体４５は薬瓶５０に結合される。通気逆止め弁４０は接続本体４５に結合され、空気が薬瓶５０の外から通気逆止め弁４０を通り、そして接続本体４５の少なくとも一部を通り、薬瓶５０へと流れることができるようになっている。カニューレ挿入プランジャー３５の基端は接続本体４５に結合され、流体が薬瓶５０から接続本体４５を通って流れるようになっている。投与チャンバー２５は、カニューレ挿入プランジャー３５の末端を滑動可能に収容する。投与チャンバー２５は、薬剤をこの投与チャンバー２５の末端を通ってさらに押し出すようになっている。プランジャー先端逆止め弁３０はカニューレ挿入プランジャー３５に結合され、流体がカニューレ挿入プランジャー３５からプランジャー先端逆止め弁３０を通って投与チャンバー２５へと流れるようになっている。針アダプター１５は投与チャンバー２５に結合されると共に針５５に結合可能である。図１に示すように、針５５が両端ペン針５５であることが好ましい。しかしながら、当業者は、本発明の範囲から逸脱することなく、他の針を用いることができることを理解しよう。投与チャンバー隔壁２０は投与チャンバー２５の末端に配されている。
【００２６】
従って、従来の器具および注射器と比較すると、本発明の一実施形態は、輸送するのにそれほどかさばらず、製造するのに出費をより少なくしく、しかもより環境に優しい薬瓶投薬器具を提供する。例えば、針および再利用可能な薬瓶投薬器具の大量在庫を続けることは、より効率的に収納空間を利用することができ、使い捨て注射器の大量在庫を続けるよりもさらに優れた費用効果がある。
【００２７】
さらにまた、一実施形態によると、接続本体４５は特定の薬瓶にのみ接続し、これによって望ましくない薬瓶を使用する可能性を減じている。例えば、この接続本体４５は望ましくない薬瓶の開口にスナップ嵌合することができないか、あるいは結合することができないものであってよい。例えば、このような接続本体４５は投与チャンバー２５の表示に対応していない薬剤濃度を持った薬瓶の使用を阻止することができる。
【００２８】
この薬瓶投薬器具１０は、図２Ａに例示するような縮めた形態にて初めに包装されることが好ましい。この状態において、プランジャー先端逆止弁３０は投与チャンバー２５の末端近傍に配され、プランジャー３５の大部分が投与チャンバー２５内に配される。一実施形態によると、この縮めた形態において、プランジャー先端逆止め弁３０は投与チャンバー隔壁２０に隣接して位置する。
【００２９】
操作中、使用者は薬瓶投薬器具１０を薬瓶５０に結合する。例えば、使用者は薬瓶５０から薬瓶キャップを取り外して薬瓶隔壁５２を露出させた後、使用者は薬瓶５０のフランジ５４を覆って接続本体４５を基端側にスナップ嵌合することにより、薬瓶投薬器具１０を薬瓶５０に結合し、薬瓶投薬器具１０を薬瓶５０の首部に適切に固定する。当業者は、嵌合またはねじ山の如き薬瓶５０を接続本体４５と結合する他の方法を、本発明の範囲から逸脱することなく、用いることができることを理解しよう。
【００３０】
接続本体４５は、中空の流体針７５と中空の通気針８０とを含む。流体針７５の基端は薬瓶隔壁５２を突き刺して薬瓶５０からプランジャー３５へと至る液体通路を作り出す。通気針８０の基端は薬瓶隔壁５２を突き刺して薬瓶５０に通気孔を形成する。通気針８０は通気逆止め弁４０と共に空気を流すようになっており、通気逆止め弁４０を通り、通気針８０を通り、そして薬瓶５０へと流れる空気通路を作り出す。一実施形態によると、この空気通路は、望ましくないバクテリアおよびウイルスおよび他の微生物が通気孔を通って薬瓶５０に入るのを阻止するバクテリアフィルターまたは蛇行通路を含むことができる。
【００３１】
操作中、薬瓶投薬器具１０が薬瓶５０に結合されると、使用者は投与チャンバー２５を引っ張り、図２Ｂに例示するように、これを薬瓶５０から遠ざけてカニューレ挿入プランジャー３５に対し末端側に変位させ、適切な投与量の薬剤または他の流体を薬瓶５０から引き出す。他の流体を用いることができるけれども、以下では薬瓶５０内の液体を「薬剤」と呼称しよう。使用者は、投与チャンバー２５の側壁にある目盛り表示によって表された投与量の値を読み取ることによって、望ましい投与量の薬剤を取り出す。
【００３２】
より詳細には、使用者が投与チャンバー２５を引っ張り、これを薬瓶５０から遠ざけてカニューレ挿入プランジャー３５に対し末端側に変位させると、空気が通気逆止め弁４０を通って薬瓶５０へと引き込まれ、この相対的な末端側への変位によって、薬剤を薬瓶からプランジャー先端逆止め弁３０を通って投与チャンバー２５へと引き込む真空を投与チャンバー２５内に作り出すことができる。
【００３３】
引き出された薬剤を組織層または他の注入部位に注入する前に、使用者は例えばペン針５５を薬瓶投薬器具１０の針アダプター１５にねじ込むことにより、一般的な中空針ペン針アセンブリー５５を薬瓶投薬器具１０に結合する。針５５の基端が投与チャンバー隔壁２０を突き刺し、流体が投与チャンバー２５から針５５を通って流れる流体通路を作り出す。
【００３４】
一実施形態によると、使用者は、好ましくは薬瓶５０を上方に向け、結合された薬瓶投薬器具１０と共に針５５を保持し、薬剤を注入する前にあらゆる余分な空気を追い出すか、または薬剤の投与量を調整するため、投与チャンバー２５をカニューレ挿入プランジャー３５に対して基端側に変位させることによって、薬瓶投薬器具１０を準備する。
【００３５】
使用者は、針５５の末端で組織層または他の注入部位を穿刺し、次に組織層または他の注入部位に向けて薬瓶５０および／またはプランジャー３５を投与チャンバー２５に対して末端側に押圧することによって、引き出された薬剤を注入し、投与量の薬剤が投与チャンバー２５から針５５を通って組織層または他の注入部位へと吐出される。
【００３６】
薬瓶投薬器具１０は、薬瓶５０内の薬剤を使い果たすまで、次の注入のために薬瓶５０に結合されたままであってよい。
【００３７】
図３は、手動ポンプ６０を有し、薬瓶および針と組み合わせた本発明の一実施形態による薬瓶投薬器具１０を例示している。希望するのであれば、この分野で知られている任意のポンプを開示した手動ポンプの代わりに用いることができる。
【００３８】
図４Ａ〜図４Ｃは、本発明の一実施形態による手動ポンプ６０を示している。この手動ポンプ６０は薄膜手動ポンプであることが好ましい。
【００３９】
手動ポンプ６０は、通路６２と、ブラダー６５と、ポンプ逆止め弁７０とを含む。通路６２は、この分野で知られている任意の通路を含むことができ、真空成型空気通路を含むが、これに限定されない。ポンプ逆止め弁７０は、この分野で知られている任意の逆止め弁を含むことができ、ポリウレタン成形ダックビル逆止め弁７０を含むが、これに限定されない。ポンプ逆止め弁７０は、この分野で知られている任意の結合手段を用いて通路に結合することができ、この結合手段は超音波または高周波（ＲＦ）溶接を含むが、これに限定されない。
【００４０】
一実施形態によると、通路６２は、ブラダー６５とポンプ逆止め弁７０とに結合され、空気をブラダー６５から通路６２に通し、またポンプ逆止め弁７０に通して流す。
【００４１】
ブラダーは弾性体であることが好ましい。例えば、ブラダー６５内の連続気泡発泡体はブラダーに弾力性を与えたことよる戻りとして機能させることができる。
【００４２】
手動ポンプ６０をこの分野で知られている任意の結合手段によって薬瓶５０に結合することができ、この結合手段は薬瓶５０に接着する感圧粘着剤７２を含むが、これに限定されない。
【００４３】
手動ポンプ６０のポンプ逆止め弁７０を通気逆止め弁４０に溶接するか、さもなければ結合することができる。手動ポンプ６０を薬瓶５０に接着するか、さもなければ結合することができる。使用者は、手動ポンプ６０の空気ブラダー６５を押圧することによって空気を薬瓶５０へと送り込むことができる。手動ポンプ６０を介して薬瓶５０へと手動で空気を送り込むことは、薬瓶５０からの薬剤の取り出し中に作り出される真空のために空気が薬瓶５０に与えられる他の例示実施形態よりも、薬瓶の内部と大気との間にさらに大きな圧力差を作り出すことができる。
【００４４】
図５Ａ〜図５Ｆは、薬瓶１５０および中空針ペン針アセンブリー１５５と共に組み合わせた本発明の一実施形態による埋設形薬瓶投薬器具１１０を示している。この埋設形薬瓶投薬器具１１０は、針アダプター１１５と、投与チャンバー隔壁１２０と、投与チャンバー１２５と、プランジャー先端逆止め弁１３０と、プランジャー１３５と、接続本体１４５とを含む。針アダプター１１５は、この分野で知られている任意の針アダプターを含むことができ、ねじ付きのペン針アダプターを含むが、これに限定されない。プランジャー先端逆止め弁１３０は、この分野で知られている任意の逆止め弁を含むことができ、低デュロメーターまたはダックビル形状の逆止め弁を含むが、これらに限定されない。接続本体１４５は、この分野で知られている任意の接続本体を含むことができ、スナップ接続本体を含むが、これに限定されない。
【００４５】
本発明の例示した一実施形態において、接続本体１４５は薬瓶１５０に結合可能であり、カニューレ挿入プランジャー１３５はこの接続本体１４５に実質的に収容される。カニューレ挿入プランジャー１３５および接続本体１４５の少なくとも一部が薬瓶１５０に収容されている。
【００４６】
薬瓶投薬器具１１０が埋設されているので、一般的な器具および注射器と比較すると、輸送するのにそれほどかさばらず、製造するのに出費がより少なく、しかもより環境に優しい。例えば、針および再利用可能な薬瓶投薬器具の大量在庫を続けることは、より効率的に収納空間を利用することができ、使い捨て注射器の大量在庫を続けるよりもさらに優れた費用効果がある。
【００４７】
さらにまた、接続本体１４５は特定の薬瓶にのみ接続するようにでき、それによって、例えば投与チャンバー１２５の表示に対応していない薬剤濃度を持った望ましくない薬瓶を使用する可能性を減じている。
【００４８】
カニューレ挿入プランジャー１３５の基端は接続本体１４５に結合され、流体が薬瓶１５０から接続本体１４５を通って流れるようになっている。投与チャンバー１２５は、カニューレ挿入プランジャー１３５の末端を滑動可能に収容する。投与チャンバー１２５は、薬剤がこの投与チャンバー１２５の末端を通ってさらに押し出されるようになっている。プランジャー先端逆止め弁１３０は、カニューレ挿入プランジャー１３５に結合され、流体がカニューレ挿入プランジャー１３５からプランジャー先端逆止め弁１３０を通って投与チャンバー１２５へと流れるようになっている。針アダプター１１５を投与チャンバー１２５に結合すると共に両端ペン針の如き針１５５に結合することができる。投与チャンバー隔壁１２０は、投与チャンバー１２５の末端に配されている。
【００４９】
一実施形態によると、この埋設形薬瓶投薬器具１１０は、充填中に薬瓶１５０に配され、薬瓶１５０の寿命が続く間、薬瓶１５０に結合されたままであってよい。薬瓶投薬器具１１０の埋設形プランジャー１３５および投与チャンバー１２５は、部品の数を最小にするため、また費用効果の高い製品を提供すると共に無電解ニッケルめっきを施して腐食および摩耗を阻止するため、薬剤互換注入成形部品を組み入れることが好ましい。
【００５０】
本発明の例示した一実施形態において、薬瓶投薬器具１１０は、図５Ａおよび図５Ｄおよび図５Ｅに例示したように、縮めた形態で最初に包装される。これらの図面において、プランジャー先端逆止め弁１３０は、投与チャンバー１２５の末端に隣接するか、またはその近傍に配される。このプランジャー先端逆止め弁１３０を投与チャンバー隔壁１２０に隣接して位置することができ、プランジャー１３５の大部分を投与チャンバー１２５内に配することができる。
【００５１】
操作中、使用者は投与チャンバー１２５を引っ張り、これをカニューレ挿入プランジャー１３５に対して末端側に変位させ（すなわち薬瓶１５０から離し）、適切な投与量の薬剤を薬瓶１５０から引き出す。使用者は、投与チャンバー１２５の側壁にある目盛り表示によって表された投与量の値を読み取ることによって、望ましい投与量の薬剤を取り出すことができる。
【００５２】
操作中、取り出された薬剤を組織層または他の注入部位へと注入する前に、使用者は、例えば針１５５を薬瓶投薬器具１１０の針アダプター１１５にねじ込むか、またはさもなければ結合することによって、針１５５を埋設形薬瓶投薬器具１１０に結合する。針１５５は、例えば両端ペン針であってよく、結合した場合に針１５５の基端が投与チャンバー隔壁１２０を突き刺し、流体が投与チャンバー１２５から針１５５を通って流れる流路を作り出す。
【００５３】
使用者は埋設形薬瓶投薬器具１１０を準備し、薬瓶１５０と結合した埋設形薬瓶投薬器具１１０とを保持し、好ましくは薬瓶１５０を上方に向ける。次いで、使用者は投与チャンバー１２５をカニューレ挿入プランジャー１３５に対して基端側に変位させ、薬剤を注入する前にあらゆる余分な空気を追い出すか、または薬剤の投与量を調整する。
【００５４】
使用者は、組織層または他の注入部位に針１５５の末端を穿刺し、次に組織層または他の注入部位に向けて薬瓶１５０およびプランジャー１３５を投与チャンバー１２５に対して末端側に押圧することによって、引き出された薬剤を注入し、投与量の薬剤が投与チャンバー１２５から針１５５を通って組織層または他の注入部位へと吐出される。
【００５５】
埋設形薬瓶投薬器具１１０は、薬瓶１５０内の薬剤を使い果たすまで、繰り返し注入を行うために薬瓶１５０に結合されたままであってよい。
【００５６】
例示していないけれども、例えば図２Ｂにおける通気逆止め弁４０のような通気逆止め弁を接続本体１４５に結合することができ、空気が薬瓶１５０の外から通気逆止め弁を通り、接続本体１４５の少なくとも一部を通り、そして薬瓶１５０へと流れるように、接続本体１４５を適合させている。通気逆止め弁は、この分野で知られている任意の逆止め弁を含むことができ、圧入逆止め弁を含むが、これに限定されない。操作中、使用者が投与チャンバー１２５を引っ張り、これをカニューレ挿入プランジャー１３５に対して末端側に変位させた（すなわち薬瓶１５０から離した）場合、空気が通気逆止め弁を通って薬瓶１５０へと引き込まれ、薬剤を薬瓶からプランジャー先端逆止め弁１３０を通って投与チャンバー１２５へと引き込む真空を投与チャンバー１２５内に作り出すことができる。
【００５７】
本発明の少数の例示実施形態のみを上に詳細に記述したけれども、当業者らは、例示実施形態における多くの変更がこの発明の新奇な教示および利点から著しく逸脱することなく可能であることを容易に理解しよう。従って、このような変更のすべてがこの発明の範囲内に含まれるように意図される。
【図１】
0006360036.tif 000002
【図２Ａ】
0006360036.tif 000003
【図２Ｂ】
0006360036.tif 000004
【図２Ｃ】
0006360036.tif 000005
【図３】
0006360036.tif 000006
【図４Ａ】
0006360036.tif 000007
【図４Ｂ】
0006360036.tif 000008
【図４Ｃ】
0006360036.tif 000009
【図５Ａ】
0006360036.tif 000010
【図５Ｂ】
0006360036.tif 000011
【図５Ｃ】
0006360036.tif 000012
【図５Ｄ】
0006360036.tif 000013
【図５Ｅ】
0006360036.tif 000014
【図５Ｆ】
0006360036.tif 000015